(57)【特許請求の範囲】
【請求項１】
位置検出部が検出する位置情報に基づき、ユーザが所定の通知範囲内に位置するか否かを判定する範囲判定部と、
前記ユーザが前記通知範囲内に位置する場合に、当該通知範囲に関連付けられた通知情報の中から前記ユーザの視線方向に対応する通知情報を決定する通知決定部と、
前記通知決定部が決定した前記通知情報を表示させる表示部と
を備え、
前記通知情報は、少なくとも前記通知範囲に設定された交通規則に関する交通情報を含み、
前記通知範囲は、道路の区間を含み、
前記通知情報は、前記区間に関連付けられた道路情報を含み、
前記通知決定部は、前記範囲判定部によって前記ユーザが位置すると判定された前記区間に対応する前記道路情報を前記通知情報として決定し、
前記通知範囲は、前記区間に属するサブ区間を含み、
前記通知情報は、前記サブ区間に関連付けられたサブ道路情報を含み、
前記通知決定部は、前記範囲判定部によって前記ユーザが位置すると判定された前記サブ区間に対応する前記サブ道路情報を、当該サブ区間が属する前記区間に対応する前記道路情報よりも優先して前記通知情報として決定する
ことを特徴とする情報表示装置。
【請求項２】
位置検出部が検出する位置情報に基づき、ユーザが所定の通知範囲内に位置するか否かを判定する範囲判定部と、
前記ユーザが前記通知範囲内に位置する場合に、当該通知範囲に関連付けられた通知情報の中から前記ユーザの視線方向に対応する通知情報を決定する通知決定部と、
前記通知決定部が決定した前記通知情報を表示させる表示部と
を備え、
前記通知情報は、少なくとも前記通知範囲に設定された交通規則に関する交通情報を含み、
前記通知範囲は、施設が視認できない死角範囲を含み、
前記通知情報は、前記死角範囲に関連付けられた施設情報を含み、
前記通知決定部は、前記範囲判定部によって前記ユーザが位置すると判定された範囲が前記死角範囲であって前記視線方向が前記施設を向いた場合に、当該施設に対応する前記施設情報を前記通知情報として決定する
ことを特徴とする情報表示装置。
【請求項３】
位置検出部が検出する位置情報に基づき、ユーザが所定の通知範囲内に位置するか否かを判定する範囲判定部と、
前記ユーザが前記通知範囲内に位置する場合に、当該通知範囲に関連付けられた通知情報の中から前記ユーザの視線方向に対応する通知情報を決定する通知決定部と、
前記通知決定部が決定した前記通知情報を表示させる表示部と
を備え、
前記通知情報は、少なくとも前記通知範囲に設定された交通規則に関する交通情報を含み、
前記通知範囲は、所定の施設を視認できる視認範囲を含み、
前記通知情報は、前記視認範囲に関連付けられた施設情報を含み、
前記通知決定部は、前記範囲判定部によって前記ユーザが位置すると判定された範囲が前記視認範囲であって前記視線方向が前記施設を向いた場合に、当該施設に対応する前記施設情報を前記通知情報として決定し、
前記通知範囲は、施設を中心とした距離に応じて区分けされた複数の距離範囲を含み、
前記通知情報は、前記距離範囲のそれぞれに関連付けられ、前記施設に近い前記距離範囲ほど詳細な段階的情報を含み、
前記通知決定部は、前記範囲判定部によって前記ユーザが位置すると判定された前記距離範囲において、前記視線方向が前記施設を向いた場合に当該施設および当該距離範囲に対応する前記段階的情報を前記通知情報として決定する
ことを特徴とする情報表示装置。
【請求項４】
前記通知範囲は、交差点近傍の交差点区間を含み、
前記通知情報は、前記交差点を介して前記区間に接続される複数の他の区間にそれぞれ関連付けられた交差道路情報を含み、
前記通知決定部は、前記範囲判定部によって前記ユーザが位置すると判定された前記交差点区間において、前記視線方向がいずれかの前記他の区間を向いた場合に当該他の区間に関連付けられた前記交差道路情報を前記通知情報として決定する
ことを特徴とする請求項１に記載の情報表示装置。
【請求項５】
前記通知範囲は、所定の施設を視認できる視認範囲を含み、
前記通知情報は、前記視認範囲に関連付けられた施設情報を含み、
前記通知決定部は、前記範囲判定部によって前記ユーザが位置すると判定された範囲が前記視認範囲であって前記視線方向が前記施設を向いた場合に、当該施設に対応する前記施設情報を前記通知情報として決定する
ことを特徴とする請求項１または４に記載の情報表示装置。
【請求項６】
前記通知範囲は、施設を中心とした距離に応じて区分けされた複数の距離範囲を含み、
前記通知情報は、前記距離範囲のそれぞれに関連付けられ、前記施設に近い前記距離範囲ほど詳細な段階的情報を含み、
前記通知決定部は、前記範囲判定部によって前記ユーザが位置すると判定された前記距離範囲において、前記視線方向が前記施設を向いた場合に当該施設および当該距離範囲に対応する前記段階的情報を前記通知情報として決定する
ことを特徴とする請求項２に記載の情報表示装置。
【請求項７】
位置検出部が検出する位置情報に基づき、ユーザが所定の通知範囲内に位置するか否かを判定する工程と、
前記ユーザが前記通知範囲内に位置する場合に、当該通知範囲に関連付けられた通知情報の中から前記ユーザの視線方向に対応する通知情報を決定する工程と、
前記通知情報を表示部に表示させる工程と、
を含み、
前記通知情報は、少なくとも前記通知範囲に設定された交通規則に関する交通情報を含み、
前記通知範囲は、道路の区間を含み、
前記通知情報は、前記区間に関連付けられた道路情報を含み、
前記通知情報を決定する工程は、前記所定の通知範囲内に位置するか否かを判定する工程によって前記ユーザが位置すると判定された前記区間に対応する前記道路情報を前記通知情報として決定し、
前記通知範囲は、前記区間に属するサブ区間を含み、
前記通知情報は、前記サブ区間に関連付けられたサブ道路情報を含み、
前記通知情報を決定する工程は、前記所定の通知範囲内に位置するか否かを判定する工程によって前記ユーザが位置すると判定された前記サブ区間に対応する前記サブ道路情報を、当該サブ区間が属する前記区間に対応する前記道路情報よりも優先して前記通知情報として決定する
ことを特徴とする情報表示方法。
【請求項８】
位置検出部が検出する位置情報に基づき、ユーザが所定の通知範囲内に位置するか否かを判定する工程と、
前記ユーザが前記通知範囲内に位置する場合に、当該通知範囲に関連付けられた通知情報の中から前記ユーザの視線方向に対応する通知情報を決定する工程と、
前記通知情報を表示部に表示させる工程と、
を含み、
前記通知情報は、少なくとも前記通知範囲に設定された交通規則に関する交通情報を含み、
前記通知範囲は、施設が視認できない死角範囲を含み、
前記通知情報は、前記死角範囲に関連付けられた施設情報を含み、
前記通知情報を決定する工程は、前記所定の通知範囲内に位置するか否かを判定する工程によって前記ユーザが位置すると判定された範囲が前記死角範囲であって前記視線方向が前記施設を向いた場合に、当該施設に対応する前記施設情報を前記通知情報として決定する
ことを特徴とする情報表示方法。
【請求項９】
位置検出部が検出する位置情報に基づき、ユーザが所定の通知範囲内に位置するか否かを判定する工程と、
前記ユーザが前記通知範囲内に位置する場合に、当該通知範囲に関連付けられた通知情報の中から前記ユーザの視線方向に対応する通知情報を決定する工程と、
前記通知情報を表示部に表示させる工程と、
を含み、
前記通知情報は、少なくとも前記通知範囲に設定された交通規則に関する交通情報を含み、
前記通知範囲は、所定の施設を視認できる視認範囲を含み、
前記通知情報は、前記視認範囲に関連付けられた施設情報を含み、
前記通知情報を決定する工程は、前記所定の通知範囲内に位置するか否かを判定する工程によって前記ユーザが位置すると判定された範囲が前記視認範囲であって前記視線方向が前記施設を向いた場合に、当該施設に対応する前記施設情報を前記通知情報として決定し、
前記通知範囲は、施設を中心とした距離に応じて区分けされた複数の距離範囲を含み、
前記通知情報は、前記距離範囲のそれぞれに関連付けられ、前記施設に近い前記距離範囲ほど詳細な段階的情報を含み、
前記通知情報を決定する工程は、前記所定の通知範囲内に位置するか否かを判定する工程によって前記ユーザが位置すると判定された前記距離範囲において、前記視線方向が前記施設を向いた場合に当該施設および当該距離範囲に対応する前記段階的情報を前記通知情報として決定する
ことを特徴とする情報表示方法。
【発明の詳細な説明】
【技術分野】
【０００１】
本発明は、情報表示装置および情報表示方法に関する。
【背景技術】
【０００２】
従来、実空間の風景上の施設に、例えばヘッドアップディスプレイを用いて当該施設の名称など施設情報を表す映像を重畳表示する拡張現実システムが知られている。かかるシステムでは、吹き出し図形を用いて施設と当該施設の情報とを関連付けて表示している（例えば、特許文献１参照）。
【先行技術文献】
【特許文献】
【０００３】
【特許文献１】特開２０１４−６１４７号公報
【発明の概要】
【発明が解決しようとする課題】
【０００４】
しかしながら、従来の技術は、風景中の施設の情報を表示しているに過ぎず、ユーザが必要としていない情報を表示している可能性があった。このように、従来の技術では、ユーザに対して適切に情報を表示していない場合があった。
【０００５】
本発明は、上記に鑑みてなされたものであって、ユーザに対して適切に情報を表示することができる情報表示装置および情報表示方法を提供することを目的とする。
【課題を解決するための手段】
【０００６】
上記課題を解決し、目的を達成するために、本発明の情報表示装置は、範囲判定部と、通知決定部と、表示部を備える。範囲判定部は、位置検出部が検出する位置情報に基づき、ユーザが所定の通知範囲内に位置するか否かを判定する。通知決定部は、前記ユーザが前記通知範囲内に位置する場合に、当該通知範囲に関連付けられた通知情報の中から前記ユーザの視線方向に対応する通知情報を決定する。表示部は、前記通知決定部が決定した前記通知情報を表示させる。
【発明の効果】
【０００７】
本発明によれば、ユーザに対して適切に情報を表示することができる情報表示装置および情報表示方法を提供することができる。
【図面の簡単な説明】
【０００８】
【図１】図１は、実施形態に係る情報表示方法を示す説明図である。
【図２】図２は、実施形態に係る情報表示システムの構成を示す図である。
【図３】図３は、実施形態に係る表示部の一例を示す図である。
【図４】図４は、実施形態に係る区間通知範囲の一例を説明する図である。
【図５】図５は、実施形態に係る個別通知範囲の一例を説明する図である。
【図６】図６は、実施形態に係る交差点通知範囲の一例を説明する図である。
【図７】図７は、実施形態に係る外観表示／非表示範囲の一例を説明する図である。
【図８】図８は、実施形態に係る外観表示／非表示範囲の一例を説明する図である。
【図９】図９は、実施形態に係る画像表示部が表示部に表示する画像の一例を示す図である。
【図１０】図１０は、実施形態に係る画像表示部が表示部に表示する画像の一例を示す図である。
【図１１】図１１は、実施形態に係る情報表示装置が実行する処理手順を示すフローチャートである。
【発明を実施するための形態】
【０００９】
以下、添付図面を参照して、本願の開示する情報表示装置および情報表示方法の実施形態を詳細に説明する。なお、以下に示す実施形態によりこの発明が限定されるものではない。
【００１０】
［１．情報表示方法］
図１は、本発明の実施形態に係る情報表示方法を示す説明図である。かかる情報表示方法は、例えばメガネ型のウェアラブル端末（いわゆるスマートグラス）やヘッドアップディスプレイなどの表示部（図示せず）に情報を表示するものである。
【００１１】
図１では、メガネ型ウェアラブル端末を装着したユーザが車両Ｃを運転している場合など、車両Ｃ中に表示部が配置される場合を例にとって説明するが、表示部が配置される場所は自動車に限られない。表示部は、例えば電車や船舶などの移動体中に配置されてもよい。
【００１２】
図１に示す情報表示方法は、車両Ｃに搭載される情報表示装置１０によって実行される。かかる情報表示方法では、車両Ｃが通知範囲Ｒ１内に位置する場合に、運転者であるユーザの視線方向Ｖ１に応じて、通知範囲Ｒ１に関連付けられた通知情報を表示部に表示する。
【００１３】
具体的には、情報表示装置１０は、例えばＧＰＳ（Global  Positioning  System）などを用いて位置検出部（図示せず）が検出した位置情報に基づき、車両Ｃを運転するユーザが所定の通知範囲Ｒ１内に位置するか否かを判定する（ステップＳ１）。通知範囲Ｒ１は、例えば道路Ｗａの区間であり、車両Ｃが道路Ｗａの区間を走行している場合に、情報表示装置１０は、ユーザが通知範囲Ｒ１内に位置すると判定する。
【００１４】
ステップＳ１で、ユーザが通知範囲Ｒ１内に位置すると判定した場合に、情報表示装置１０は、通知範囲Ｒ１に関連付けられた通知情報の中からユーザの視線方向Ｖ１に対応する通知情報を決定する（ステップＳ２）。
【００１５】
通知情報として、例えば道路Ｗａの制限速度（図１では「制限速度３０ｋｍ」）など通知範囲Ｒ１の道路Ｗａに設定された交通規則に関する交通情報Ｍ１がある。交通情報Ｍ１は、通知範囲Ｒ１の所定の位置と対応付けて記憶されており、ユーザの視線方向Ｖ１がかかる所定の位置を向いている場合に、情報表示装置１０は、交通情報Ｍ１を通知情報に決定する。
【００１６】
交通情報Ｍ１と対応付けされる所定の位置（以下、単に交通情報Ｍ１の位置とも称する）は、例えば通知範囲Ｒ１における車両Ｃの進行側の端辺の略中央である。例えばユーザの視線方向Ｖ１を中心とする角度θの角度範囲Ｒ２内に交通情報Ｍ１の位置が含まれている場合、情報表示装置１０は、交通情報Ｍ１を通知情報に決定する。
【００１７】
なお、ユーザの視線方向Ｖ１は、例えばメガネ型ウェアラブル端末に搭載された電子コンパスや、ジャイロセンサ、加速度センサ等の検出値に基づいて検出することができる。あるいは、カメラを用いてユーザの目等を撮像し、撮像画像に基づいて視線方向Ｖ１を検出することもできる。さらに、これらの検出手段を必要に応じて組み合わせることで、より精度の高い視線方向の検出も可能である。
【００１８】
続いて、情報表示装置１０は、交通情報Ｍ１を示す通知画像を表示部（図示せず）に表示する（ステップＳ３）。例えば、表示部がメガネ型ウェアラブル端末の場合、情報表示装置１０は、メガネのレンズＧ（コンバイナ機能を有する）に交通情報Ｍ１を示す図形、文字列またはそれらを組み合わせた通知画像ＭＧを表示する。例えば交通情報Ｍ１が交通規則に関する情報である場合、図１に示すように道路標識の図形と、「３０ｋｍ制限区間」といった道路標識の説明文の両方、あるいは一方を表示する。
【００１９】
このように、情報表示装置１０が実行する情報表示方法では、ユーザの視線方向Ｖ１に応じて、ユーザに通知する通知情報を決定することで、ユーザに対して適切に情報を表示することができる。
【００２０】
なお、図１では、通知情報である交通情報Ｍ１を、車両Ｃを運転しているユーザに表示する場合について説明したが、通知情報はこれに限られない。例えば周辺施設に関連する情報を通知情報とし、車両Ｃの同乗者であるユーザにかかる情報を表示するようにしてもよい。以下、主に交通情報Ｍ１をユーザに通知する場合を「運転モード」、主に周辺施設に関連する情報（以下、施設情報と称する）をユーザに通知する場合を「観光モード」と称し、情報表示装置１０を含む情報表示システム１についてさらに説明する。
【００２１】
［２．情報表示システム１］
図２は、本発明の実施形態に係る情報表示システム１の構成を示す図である。情報表示システム１は、情報表示装置１０、表示部２０、視線検出部３０、ナビゲーション装置４０および位置検出部５０を備える。
【００２２】
［２．１．表示部２０］
図３は、実施形態に係る表示部２０の一例を示す図である。表示部２０は、例えば図３に示すようなメガネ型ウェアラブル端末である。表示部２０は、レンズＧに画像を投影することで、ユーザが見ている実際の風景に画像を重畳して表示する。
【００２３】
なお、表示部２０は、メガネ型ウェアラブル端末に限られず、例えばヘッドアップディスプレイなど、ユーザが見ている風景に画像を重畳して表示するディスプレイであってもよい。あるいは、表示部２０は、スマートフォンやタブレット端末などの可搬性の表示装置の表示部であってもよい。
【００２４】
［２．２．視線検出部３０］
視線検出部３０は、ユーザの視線方向Ｖ１を検出する。視線検出部３０は、例えば図３に示すようにメガネ型ウェアラブル端末に搭載される電子コンパス、ジャイロセンサ、加速度センサ等である。視線検出部３０は、検出した方位角をユーザの視線方向Ｖ１として情報表示装置１０へ出力する。
【００２５】
あるいは、視線検出部３０が車両Ｃに搭載されるカメラを備えるようにしてもよい。この場合、視線検出部３０は、カメラによってユーザを撮像した画像からユーザの目や口といった特徴点を抽出し、かかる特徴点に基づいてユーザの視線方向Ｖ１を検出する。さらに、これらの検出手段を必要に応じて組み合わせてもよく、加えて、これらに限定されない視線検知手段を用いることも可能である。
【００２６】
［２．３．ナビゲーション装置４０］
図２のナビゲーション装置４０は、制御部４１と地図情報データベース（以下、地図情報ＤＢと称する）４２とを備える。ナビゲーション装置４０は、車両Ｃの運転者が運転する際のナビゲーション機能やオーディオ機能などを有する。
【００２７】
制御部４１は、表示部２０に所定のナビゲーション画像を表示したり、図示しないスピーカに音声データを出力させたりする。なお、ナビゲーション画像を表示部２０に表示するとしたが、これに限られない。例えばナビゲーション装置４０が、例えばＬＣＤ（Liquid  Crystal  Display）など、表示部２０とは異なる表示手段を備える場合は、かかる表示手段にナビゲーション画像を表示してもよい。
【００２８】
地図情報ＤＢ４２は、地図情報を記憶する記憶手段である。地図情報ＤＢ４２は、地図情報に加え、通知範囲Ｒ１や、交通情報Ｍ１や周辺施設に関する情報などの通知情報を通知範囲Ｒ１と対応付けて記憶する。なお、地図情報は通信等を使って外部から取得するようにしてもよく、このようにすればいつでも最新の地図情報を利用することができる。ナビゲーション装置４０は、通知範囲Ｒ１や通知情報を情報表示装置１０へ出力する。
【００２９】
［２．４．位置検出部５０］
位置検出部５０は、ユーザの位置を検出する。位置検出部５０は、例えばＧＰＳ機能を搭載し、例えば車両Ｃの位置情報を取得することによって、ユーザの位置を検出する。位置検出部５０は、検出したユーザの位置情報を情報表示装置１０へ出力する。
【００３０】
［２．５．情報表示装置１０］
情報表示装置１０は、制御部１１０と、画像表示部１２０と、記憶部１３０とを備える。制御部１１０は、範囲判定部１１１と、通知決定部１１２と、切替部１１３とを備える。尚、制御部１１０は、マイクロコンピュータにより実現される。
【００３１】
［２．５．１．切替部１１３］
切替部１１３は、情報表示装置１０の動作モードを、主に交通情報をユーザに通知する「運転モード」と、主に施設情報をユーザに通知する「観光モード」とに切り替える。切替部１１３は、例えばユーザからの入力操作に応じて「運転モード」および「観光モード」を切り替える。切替部１１３は、モードを切り替えると、切り替えたモードを範囲決定部１１１および通知決定部１１２へ通知する。
【００３２】
［２．５．２．範囲判定部１１１］
範囲判定部１１１は、位置検出部５０が検出するユーザの位置情報と、ナビゲーション装置４０の地図情報ＤＢ４２が記憶する通知範囲Ｒ１の情報とに基づいて、ユーザが通知範囲Ｒ１内に位置するか否かを判定する。
【００３３】
動作モードが「運転モード」である場合、通知範囲Ｒ１は、区間通知範囲Ｒ１１、個別通知範囲Ｒ１２および交差点通知範囲Ｒ１３を含む。また、動作モードが「観光モード」である場合、通知範囲Ｒ１は、外観非表示範囲Ｒ５１、外観表示範囲Ｒ５２（まとめて外観表示／非表示範囲Ｒ５とも称する）、詳細表示範囲Ｒ６１および概要表示範囲Ｒ６２（まとめて情報表示範囲Ｒ６とも称する）を含む。
【００３４】
［２．５．３．通知決定部１１２］
通知決定部１１２は、範囲判定部１１１の判定結果に応じて、ユーザが位置する通知範囲Ｒ１に関連づけられた通知情報を地図情報ＤＢ４２から取得する。また通知決定部１１２は、視線検出部３０が検出するユーザの視線方向Ｖ１に基づいて角度範囲Ｒ２を算出する。なお、角度範囲Ｒ２は、ユーザの視線方向Ｖ１を含む角度θの範囲であればよく、さらに、角度範囲Ｒ２は、ユーザの視線方向Ｖ１を略中心とする角度θの範囲であってもよく、半径は特に限定されない。
【００３５】
通知決定部１１２は、地図情報ＤＢ４２から取得した通知情報のうち、角度範囲Ｒ２に含まれるものをユーザに通知すると決定する。
【００３６】
以下、範囲判定部１１１が判定する各範囲Ｒ１１〜Ｒ１３、Ｒ５、Ｒ６の詳細および通知決定部１１２が決定する通知情報の詳細について説明する。
【００３７】
［２．５．４．運転モード］
動作モードが運転モードである場合、通知決定部１１２は、例えば車両Ｃの運転者であるユーザに対して走行している道路Ｗａの交通規則や交通規制といった交通情報を通知する。この場合、範囲判定部１１１は、ユーザが区間通知範囲Ｒ１１、個別通知範囲Ｒ１２および交差点通知範囲Ｒ１３に位置しているか否かを判定する。
【００３８】
［２．５．４．１．区間通知範囲Ｒ１１］
まず、区間通知範囲Ｒ１１について説明する。図４は、本実施形態に係る区間通知範囲Ｒ１１の一例を説明する図である。図４に示すように、区間通知範囲Ｒ１１は、道路Ｗａの所定の走行区間である。例えば、地図情報ＤＢ４２が記憶する道路地図の道路網が、道路を複数の区間に分割した「道路リンク」と、交差点等の「ノード」によって表現されている場合、区間通知範囲Ｒ１１は、かかる「道路リンク」に相当する。
【００３９】
区間通知範囲Ｒ１１の所定位置には、道路Ｗａの区間にわたって設定される交通情報Ｍ１が関連づけられる。かかる交通情報Ｍ１としては、例えば道路Ｗａの制限速度や駐車禁止区間などがあげられる。
【００４０】
交通情報Ｍ１は、例えば区間通知範囲Ｒ１１の端辺のうち、車両Ｃが走行する車線の略中央部に関連づけられる（図１参照）。上述したように、例えば区間通知範囲Ｒ１１が道路リンクの場合、交通情報Ｍ１は道路リンクの始点または終点（以下、端点と称する）の少なくとも一方に関連づけてナビゲーション装置４０の地図情報ＤＢ４２（図２参照）に記憶される。
【００４１】
ユーザの視線方向Ｖ１が、交通情報Ｍ１が関連づけられた区間通知範囲Ｒ１１の所定位置を向いている場合、通知決定部１１２は、かかる交通情報Ｍ１を通知すると決定する。具体的には、ユーザの視線方向Ｖ１を中心とする角度θの角度範囲Ｒ２内に所定位置、例えば道路リンクの端点が含まれる場合、かかる端点に関連づけられた交通情報Ｍ１を通知情報とする。
【００４２】
なお、ここでは、区間通知範囲Ｒ１１は、１つの道路リンクとして説明したが、これに限られない。例えば複数の道路リンクを１つの区間通知範囲Ｒ１１としてもよい。また、複数の区間通知範囲Ｒ１１の端部がそれぞれ重複するように設定してもよい。このとき、複数の区間通知範囲Ｒ１１の重複する場所に車両Ｃが位置する場合は、例えば車両Ｃからより遠い位置に関連づけられた交通情報Ｍ１を優先して表示するようにしてもよい。
【００４３】
［２．５．４．２．個別通知範囲Ｒ１２］
図５は、本実施形態にかかる個別通知範囲Ｒ１２の一例を説明する図である。個別通知範囲Ｒ１２は、区間通知範囲Ｒ１１に属するサブ区間である。図５に示すように、個別通知範囲Ｒ１２は、区間通知範囲Ｒ１１より短い第２走行区間である。かかる個別通知範囲Ｒ１２には、例えば一旦停止や横断歩道ＣＬといった道路Ｗａの所定位置に個別に設定される交通情報Ｍ２（サブ道路情報）が当該所定位置に関連づけられる。
【００４４】
つまり、本実施形態は、速度規制や駐車禁止等、領域を対象とする交通情報ではなく、一旦停止や横断歩道ＣＬと言った、地点あるいはそれに類する非常に狭い領域に対する交通情報に適した表示（報知）方法を提供するものである。
【００４５】
個別通知範囲Ｒ１２は、交通情報Ｍ２が設定された所定位置を始点とし、車両Ｃの走行方向（図５では上方向）とは逆向きの方向（図５では下方向）に所定距離離れた位置を終点とする区間である。所定距離は、あらかじめ決められた固定の距離としてもよく、また交通情報Ｍ２の種類に応じた距離としてもよく、あるいは車両Ｃの走行速度に応じて変化する可変の距離としてもよい。所定距離を可変とする場合は、例えば車両Ｃの走行速度が速いほど所定距離を長くし、遅いほど短くする。
【００４６】
ユーザの視線方向Ｖ１が、交通情報Ｍ２が設定された所定位置を向いている場合、通知決定部１１２は、かかる交通情報Ｍ２をユーザに通知すると決定する。具体的には、ユーザの視線方向Ｖ１を中心とする角度θの角度範囲Ｒ２内に交通情報Ｍ２が設定された所定位置が含まれる場合、交通情報Ｍ２を通知情報とする。
【００４７】
ここで、図５に示すように、個別通知範囲Ｒ１２が区間通知範囲Ｒ１１内に含まれる場合、すなわち車両Ｃが区間通知範囲Ｒ１１および個別通知範囲Ｒ１２の両方に位置する場合について説明する。
【００４８】
この場合、例えば図５のように、ユーザの視線方向Ｖ１を含む角度範囲Ｒ２に、区間通知範囲Ｒ１１に関連づけられた交通情報Ｍ１と、個別通知範囲Ｒ１２に関連づけられた交通情報Ｍ２とが含まれる場合がある。かかる場合において、本実施形態の通知決定部１１２は、個別通知範囲Ｒ１２に関連づけられた交通情報Ｍ２を、区間通知範囲Ｒ１１に関連づけられた交通情報Ｍ１１より優先して通知すると決定する。
【００４９】
このように、区間通知範囲Ｒ１１より短い個別通知範囲Ｒ１２に関連づけられた交通情報Ｍ２を優先的に表示することで、より確実にユーザに交通情報Ｍ２を表示することができる。
【００５０】
ここで、交通情報Ｍ２を交通情報Ｍ１より優先して通知する方法としては、例えば交通情報Ｍ２を示す画像を表示部２０に表示し、交通情報Ｍ１を示す画像を表示しない方法がある。あるいは、交通情報Ｍ２を示す画像を、交通情報Ｍ１を示す画像より大きく表示してもよい。尚、交通情報を示す画像とは、交通標識等の図形、あるいは文字情報（規制情報の文字表記等）等の両方、あるいは一方を含む情報である。
【００５１】
なお、図５では、個別通知範囲Ｒ１２が区間通知範囲Ｒ１１内に含まれる場合について説明したが、これに限られない。個別通知範囲Ｒ１２および区間通知範囲Ｒ１１の少なくとも一部が重複している場合であってもよい。ユーザが個別通知範囲Ｒ１２および区間通知範囲Ｒ１１の両方に含まれている場合に、交通情報Ｍ２を交通情報Ｍ１より優先表示させればよい。
【００５２】
また、図５では、区間通知範囲Ｒ１１に１つの個別通知範囲Ｒ１２が属する場合について説明したが、区間通知範囲Ｒ１１に属する個別通知範囲Ｒ１２の数はこれに限られず、複数の個別通知範囲Ｒ１２が区間通知範囲Ｒ１１に属していてもよい。
【００５３】
また、図４および図５では、区間通知範囲Ｒ１１、個別通知範囲Ｒ１２の端辺の略中央部（図１参照）あるいは端点と交通情報Ｍ１、Ｍ２とを関連付けるものとしたが、これに限られない。例えば区間通知範囲Ｒ１１、個別通知範囲Ｒ１２が、道路リンクのような線分の区間で表される範囲ではなく、図１に示すように例えば略長方形の領域で表される範囲である場合、交通情報Ｍ１、Ｍ２と関連付ける所定位置は、略長方形の角部であってもよい。あるいは、交通情報Ｍ１、Ｍ２と関連付ける位置は、通知範囲Ｒ１１、Ｒ１２の内部であっても各通知範囲Ｒ１１、Ｒ１２の外部であってもよい。
【００５４】
尚、上述の例では交通情報を所定地点に関連付けて処理するようにしているが、交通情報を区間通知範囲Ｒ１１、個別通知範囲Ｒ１２に関連付け、車両進行方向に対する視線方向に応じて交通情報の表示を制御する方法も可能である（例えば、進行方向真正面を中心とする所定角度θの範囲で交通情報を表示する）。
【００５５】
［２．５．４．３．交差点通知範囲Ｒ１３］
図６は、本実施形態にかかる交差点通知範囲Ｒ１３の一例を説明する図である。図６に示すように、交差点通知範囲Ｒ１３は、交差点近傍の交差点区間である。このように、交差点通知範囲Ｒ１３は、交差点を含む道路Ｗａの所定の走行区間である。例えば、交差点通知範囲Ｒ１３は、交差点を表すノードを端点とする道路リンクの所定区間となる。交差点通知範囲Ｒ１３は、道路Ｗａの区間通知範囲Ｒ１１より短い第３走行区間である。
【００５６】
交差点通知範囲Ｒ１３には、交差点を介して道路Ｗａに接続する道路Ｗａ２（あるいは、道路Ｗａ２の区間通知範囲）に設定される交通情報Ｍ３１（交差道路情報）が関連づけられる。また、交通情報Ｍ３１は、交差点から所定距離離れた道路Ｗａ２の所定位置に関連づけられる。
【００５７】
ユーザの視線方向Ｖ１が、道路Ｗａ２を向いている場合、通知決定部１１２は、交通情報Ｍ３１をユーザに通知すると決定する。具体的には、ユーザの視線方向Ｖ１を中心とする角度θの角度範囲Ｒ２内に交通情報Ｍ３１が関連づけられた所定位置が含まれる場合、ユーザの視線方向Ｖ１が道路Ｗａ２を向いているとして、交通情報Ｍ３１を通知情報とする。
【００５８】
尚、上述の例では交通情報を所定地点に関連付けて処理するようにしているが、交通情報を道路Ｗａ１、Ｗａ３それぞれに設定される区間通知範囲に関連付け、車両進行方向に対する視線方向に応じて交通情報の表示を制御する方法の可能である（例えば、進行方向真正面から道路Ｗａ１、Ｗａ３側にφ度（例えば６０度）傾いた方向を中心とする所定角度θの範囲で道路Ｗａ１、Ｗａ３の交通情報を表示する）。
【００５９】
なお、図６に示すように、交差点に道路Ｗａ１、Ｗａ３が接続している場合、各道路Ｗａ１、Ｗａ３（あるいは、道路Ｗａ１、Ｗａ３それぞれに設定される区間通知範囲）に設定される交通情報Ｍ３２、Ｍ３３をそれぞれ各道路Ｗａ１、Ｗａ３の所定位置と関連づけてもよい。
【００６０】
交通情報Ｍ３１〜Ｍ３３として、例えば各道路Ｗａ１〜Ｗａ３の制限速度、通行止め情報あるいは渋滞情報などが挙げられる。このように、交差点付近では、交差点に接続する道路Ｗａ１〜Ｗａ３に関する情報をユーザに表示することで、ユーザに対して適切に情報を表示することができる。
【００６１】
なお、例えばユーザが交差点通知範囲Ｒ１３および区間通知範囲Ｒ１１の両方に位置しており、角度範囲Ｒ２に交通情報Ｍ３１〜Ｍ３３および交通情報Ｍ１が含まれる場合、交通情報Ｍ３１〜Ｍ３３を交通情報Ｍ１より優先的に表示するようにしてもよい。
【００６２】
また、例えばユーザが交差点通知範囲Ｒ１３および個別通知範囲Ｒ１２の両方に位置しており、角度範囲Ｒ２に交通情報Ｍ３１〜Ｍ３３および交通情報Ｍ２が含まれる場合、交通情報Ｍ２を交通情報Ｍ３１〜Ｍ３３より優先的に表示するようにしてもよい。
【００６３】
また、角度範囲Ｒ２に各道路Ｗａ１〜Ｗａ３の交通情報Ｍ３１〜Ｍ３３が複数含まれる場合、例えば交通情報Ｍ３１〜Ｍ３３を示す画像の表示位置を各道路Ｗａ１〜Ｗａ３に応じて変更することで、道路Ｗａ１〜Ｗａ３と交通情報Ｍ３１〜Ｍ３３とを対応付けて表示するようにしてもよい。
【００６４】
具体的には、例えば車両Ｃの進行方向左側の道路Ｗａ２の交通情報Ｍ３１は表示部２０の左手側に表示し、進行方向右側の道路Ｗａ３の交通情報Ｍ３３は表示部２０の右手側に表示する。また、進行方向の道路Ｗａ１の交通情報Ｍ３２は、表示部２０の略中央上部に表示する。あるいは、「右折」「左折」「直進」といった文字情報を、各交通情報Ｍ３１〜Ｍ３３を示す画像に含めて表示するようにしてもよい。
【００６５】
また、図６では、交差点が四叉路である場合を例にとって説明したが、これに限らず、交差点は、三叉路や五叉路などの任意の数の道路が交差する交差点や、スクランブル交差点、ロータリー交差点などであってもよい。
【００６６】
図４〜図６では、各通知範囲Ｒ１１〜Ｒ１３に関連づけられる交通情報の数を１つとして説明したが、複数の交通情報を各通知範囲Ｒ１１〜Ｒ１３に関連づけてもよい。また、交通情報が例えば制限速度の場合、車両Ｃがかかる制限速度を超えている場合に通知決定部１１２がかかる交通情報を通知するよう決定するなど、例えば車両Ｃの速度に応じて通知する交通情報を変更するようにしてもよい。
【００６７】
このように、「運転モード」において各通知範囲Ｒ１１〜Ｒ１３に関連づけられる交通情報をユーザの視線方向Ｖ１に応じて表示することで、ユーザに対して適切に交通情報を表示することができる。これにより、ユーザの運転を阻害することなく、情報を表示することができるようになる。
【００６８】
［２．５．５．観光モード］
例えば車両Ｃの運転者以外の同乗者がいる場合、かかる同乗者には交通情報を必ずしも通知しなくともよい。このような場合、例えば同乗者であるユーザが情報表示装置１０の動作モードを観光モードに切り替えることで、情報表示装置１０は観光モードで動作する。
【００６９】
情報表示装置１０の動作モードが観光モードである場合、通知決定部１１２は、例えば車両Ｃの同乗者であるユーザに対して周囲の施設情報を通知する。この場合、範囲判定部１１１は、ユーザが外観表示／非表示範囲Ｒ５および情報表示範囲Ｒ６に位置しているか否かを判定する。
【００７０】
［２．５．５．１．外観表示／非表示範囲Ｒ５］
図７は、本実施形態にかかる外観表示／非表示範囲Ｒ５の一例を説明する図である。図７に示すように、外観表示／非表示範囲Ｒ５は、外観非表示範囲Ｒ５１および外観表示範囲Ｒ５２を含む。
【００７１】
図７に示す外観非表示範囲Ｒ５１は、例えばビルなどの施設Ｂを略中心とする半径ｒ１の円形の領域である。また、外観表示範囲Ｒ５２は、施設Ｂを略中心とする半径ｒ１から半径ｒ２（ｒ１＜ｒ２）までの領域である。すなわち、外観表示範囲Ｒ５２は、施設Ｂを略中心とする半径ｒ２の領域のうち、外観非表示範囲Ｒ５１を除く領域である。
【００７２】
ここで、外観非表示範囲Ｒ５１は、外観表示範囲Ｒ５２より施設Ｂに近く、外観非表示範囲Ｒ５１に位置するユーザから施設Ｂが直接視認できる視認範囲であるものとする。一方、外観表示範囲Ｒ５２は、施設Ｂから遠く、かかる外観表示範囲Ｒ５２に位置するユーザからは、例えば他のビルに隠れてしまい施設Ｂが直接視認できない死角範囲であるものとする。
【００７３】
外観非表示範囲Ｒ５１は、施設Ｂに関する施設情報と関連づけられて地図情報ＤＢ４２に記憶される。施設Ｂに関する施設情報として、例えば施設Ｂの名称や、施設Ｂまでの距離、営業時間等が含まれる。
【００７４】
外観表示範囲Ｒ５２は、施設Ｂに関する施設情報および外観情報と関連づけられて地図情報ＤＢ４２に記憶される。外観情報とは、例えば施設Ｂの外観の写真やイラストなどの画像情報である。
【００７５】
範囲判定部１１１は、ユーザが乗車する車両Ｃが外観表示／非表示範囲Ｒ５に位置するか否か判定する。通知決定部１１２は、ユーザの視線方向Ｖ１が、ユーザが位置する外観表示／非表示範囲Ｒ５の施設Ｂを向いている場合に、かかる施設Ｂに関する情報を通知情報として決定する。
【００７６】
例えば、図７の場合、ユーザが乗車する車両Ｃが外観表示範囲Ｒ５２に位置している。また、ユーザの視線方向Ｖ１を中心とする角度θの角度範囲Ｒ２に施設Ｂが含まれている。この場合、通知決定部１１２は、外観表示範囲Ｒ５２に関連づけられている施設Ｂに関する施設情報および施設Ｂの外観情報を通知情報に決定する。
【００７７】
このように、ユーザが施設Ｂの外観表示／非表示範囲Ｒ５内に位置し、ユーザの視線方向が施設Ｂを向いている場合に施設Ｂに関する情報をユーザに表示することで、ユーザに対して適切に情報を表示することができる。
【００７８】
また、ユーザが実際に施設Ｂを視認できる場合は、施設Ｂの外観情報を表示しないようにする。これにより、施設Ｂの外観情報によってユーザの視界が遮られることがなくなり、ユーザが直接施設Ｂを視認しつつ施設Ｂに関する情報を確認することができるようになる。
【００７９】
なお、施設Ｂのすべてが例えば近隣のビル等によって隠れており、ユーザから施設Ｂの全てが見えていない場合のみをユーザが施設Ｂを視認できないとする必要はない。例えばユーザが施設Ｂと認識できない程度に施設Ｂの一部を視認できる場合であっても、ユーザが施設Ｂを視認できないとして外観情報を表示するようにしてもよい。
【００８０】
また、ユーザから施設Ｂを視認できる範囲を外観非表示範囲とし、視認できない範囲を外観表示範囲とすればよく、外観表示／非表示範囲Ｒ５の形状は図７に示す円形に限られない。例えば図８に示すように施設Ｂを中心とする扇形であってもよい。また、例えば図８の外観非表示範囲Ｒ５３、外観表示範囲Ｒ５４のように半径が異なる扇形であってもよい。つまり、地形や建築物の立地条件により施設Ｂが視認できる領域は決まるが、実際に施設Ｂを視認できる領域（できない領域）の情報を地図情報として記憶しておき、この情報に基づき（また施設Ｂからの距離も考慮して）、外観表示・非表示範囲を決定してもよい。
【００８１】
図７では、外観非表示範囲Ｒ５１および外観表示範囲Ｒ５２をそれぞれ１つ設ける場合について説明したが、これに限られない。例えば、図８に示すように外観非表示範囲Ｒ５１および外観表示範囲Ｒ５２をそれぞれ複数設けるようにしてもよい。
【００８２】
なお、外観表示／非表示範囲Ｒ５は、施設Ｂおよび施設Ｂの近隣に存在する施設の大きさに応じて決定される。あるいは曇りや霧などの天候に応じて外観表示／非表示範囲Ｒ５を変更するようにしてもよい。
【００８３】
また、夜間は、イルミネーションやライトアップされる施設を外観非表示範囲Ｒ５１とし、イルミネーションやライトアップされず夜間に視認しにくい施設を外観表示範囲Ｒ５２とするなど、例えばイルミネーションやライトアップされる時間帯に応じて外観表示／非表示範囲Ｒ５を変更するようにしてもよい。
【００８４】
［２．５．５．２．情報表示範囲Ｒ６］
続いて、情報表示範囲Ｒ６について説明する。情報表示範囲Ｒ６の形状は、図７の外観表示／非表示範囲Ｒ５と同じであるため、図７を用いて説明する。
【００８５】
詳細表示範囲Ｒ６１は、施設Ｂを略中心とする半径ｒ１の円形の領域である。また、概要表示範囲Ｒ６２は、施設Ｂを略中心とする半径ｒ１から半径ｒ２（ｒ１＜ｒ２）までの領域である。すなわち、概要表示範囲Ｒ６２は、施設Ｂを略中心とする半径ｒ２の領域のうち、詳細表示範囲Ｒ６１を除く領域である。
【００８６】
このように、情報表示範囲Ｒ６は、施設Ｂを中心とした距離に応じて区分けされた複数の距離範囲を含む。ここで、図７に示す例では、複数の距離範囲とは、詳細表示範囲Ｒ６１および概要表示範囲Ｒ６２である。
【００８７】
概要表示範囲Ｒ６２は、施設Ｂに関する概要情報と関連づけられて地図情報ＤＢ４２に記憶される。施設Ｂに関する概要情報とは、例えば施設Ｂの名称や施設Ｂまでの距離などを含む施設Ｂの概要を示す情報である。
【００８８】
詳細表示範囲Ｒ６１は、施設Ｂに関する概要情報および詳細情報と関連づけられて地図情報ＤＢ４２に記憶される。施設Ｂに関する詳細情報とは、概要情報を除く施設Ｂに関する情報であり、例えば施設Ｂの営業時間や利用料金、開催中のイベント情報などを含む施設Ｂの詳細を示す情報である。
【００８９】
このように、情報表示範囲Ｒ６に関連づけられる通知情報は、距離範囲（詳細表示範囲Ｒ６１および概要表示範囲Ｒ６２）のそれぞれに関連付けられ、施設Ｂに近い範囲ほど詳細な段階的な情報（概要情報および詳細情報）を含む。
【００９０】
範囲判定部１１１は、ユーザが乗車する車両Ｃが情報表示範囲Ｒ６に位置するか否かを判定する。通知決定部１１２は、ユーザの視線方向Ｖ１が、ユーザが位置する情報表示範囲Ｒ６の施設Ｂを向いている場合に、かかる施設Ｂに関する情報を通知情報として決定する。
【００９１】
例えば、図７の場合、ユーザが乗車する車両Ｃが概要表示範囲Ｒ６２に位置している。また、ユーザの視線方向Ｖ１を中心とする角度θの角度範囲Ｒ２に施設Ｂが含まれている。この場合、通知決定部１１２は、概要表示範囲Ｒ６２に関連づけられている施設Ｂに関する概要情報を通知情報に決定する。
【００９２】
このように、ユーザに近い場所に位置する施設の情報を、ユーザから離れた場所に位置する施設の情報より詳細に表示することで、ユーザに近い施設の情報をより多く通知することができる。さらに、ユーザから遠い施設についても概要情報を表示することで、ユーザに近い施設の情報表示を妨げることなく、ユーザから遠い施設の情報を通知することができる。
【００９３】
なお、図７では、情報表示範囲Ｒ６を詳細表示範囲Ｒ６１および概要表示範囲Ｒ６２の２つに分割しているが、分割する範囲の数は２つに限られず３つ以上であってもよい。この場合、施設Ｂに近い範囲ほど表示する情報の数や量を増やすようにすればよい。
【００９４】
また、ここでは、情報表示範囲Ｒ６と外観表示／非表示範囲Ｒ５とが同じである（図７参照）として説明したが、これに限られない。情報表示範囲Ｒ６と外観表示／非表示範囲Ｒ５とをそれぞれ異なる範囲としてもよい。情報表示範囲Ｒ６および外観表示／非表示範囲Ｒ５のいずれか一方のみを設定してもよい。
【００９５】
図７に示す例では、ユーザが車両Ｃに乗車している場合について説明したがこれに限られず、例えばユーザが徒歩で移動している場合についても施設Ｂに関する情報を同様に表示することができる。
【００９６】
なお、情報表示範囲Ｒ６および外観表示／非表示範囲Ｒ５に関連づけられる情報は、例えば施設Ｂが閉店中である時間帯では開店時間に関する情報を関連づけ、開店中である時間帯では閉店時間に関する情報を関連づけるなど、時間帯に応じて変更するようにしてもよい。
【００９７】
また、複数の施設Ｂの情報を通知する場合、ユーザから遠い施設Ｂの情報（以下、遠方情報と称する）を表示部２０の上方に表示し、ユーザに近い施設Ｂの情報（以下、近辺情報と称する）を遠方情報より下方に表示するようにしてもよい。この場合、近辺情報を遠方情報より手前に表示するようにしてもよい。
【００９８】
［２．５．６．画像表示部１２０］
画像表示部１２０は、通知決定部１１２が決定した通知情報を表示部２０に表示する情報表示部である。画像表示部１２０は、通知決定部１１２が決定した通知情報を示す画像を記憶部１３０から取得し、かかる画像を表示部２０に表示する。
【００９９】
図９および図１０は、観光モードにおいて、画像表示部１２０が表示部２０に表示する画像の一例を示す図である。ユーザが外観表示範囲Ｒ５２（例えば図７参照）に位置し、ユーザの視線方向Ｖ１が施設Ｂを向いている場合、図９に示すように、画像表示部１２０は、施設Ｂの外観を示す画像、施設Ｂに関する情報を示す文字列、またはそれらを組み合わせた画像ＭＧ１を表示部２０に表示する。図９に示す例では、施設Ｂに関する情報として、施設Ｂの名称と施設Ｂまでの距離を表示している。つまり、概念的には、施設Ｂが視認可能な場合には施設Ｂの外観を示す画像を表示せず施設Ｂの実物をユーザが見るようにし、施設Ｂの視認不可、あるいは視認性が悪い場合には施設Ｂの外観を示す画像を表示して施設Ｂの実物の代わりに画像をユーザが見るようにする。
【０１００】
一方、ユーザが外観非表示範囲Ｒ５１（図７参照）に位置し、ユーザの視線方向Ｖ１が施設Ｂを向いている場合、図１０に示すように、画像表示部１２０は、施設Ｂの外観を示す画像は表示せず、施設Ｂに関する情報を含む画像ＭＧ２を表示部２０に表示する。
【０１０１】
［２．５．７．記憶部１３０］
記憶部１３０は、例えばＲＡＭ（Random  Access  Memory)、フラッシュメモリ等の半導体メモリ素子、または、ハードディスク、光ディスク等の記憶装置であり、例えば画像表示部１２０が表示する画像や、通知決定部１１２が算出する角度範囲Ｒ２に関する情報など情報表示装置１０の各部で行う処理を実行するために用いる情報を記憶する。
【０１０２】
なお、ここでは、通知範囲や通知情報を含む地図情報を地図情報ＤＢ４２が記憶するとしたが、例えば記憶部１３０が記憶するようにしてもよい。あるいは通知範囲や通知情報を含む地図情報を地図情報ＤＢ４２および記憶部１３０に分散して記憶するようにしてもよい。
【０１０３】
［３．情報表示処理］
次に、本実施形態に係る情報表示装置１０が実行する処理手順について、図１１を用いて説明する。図１１は、本実施形態に係る情報表示装置１０が実行する処理手順を示すフローチャートである。
【０１０４】
情報表示装置１０は、位置検出部５０から位置情報を取得する（ステップＳ１０１）。情報表示装置１０は、取得した位置情報に基づき、ユーザが通知範囲Ｒ１内に位置するか否かを判定する（ステップＳ１０２）。
【０１０５】
ユーザが通知範囲Ｒ１内に位置しない場合（ステップＳ１０２；Ｎｏ）、処理を終了する。一方、ユーザが通知範囲Ｒ１内に位置する場合（ステップＳ１０２；Ｙｅｓ）、情報表示装置１０は、視線検出部３０からユーザの視線方向Ｖ１を取得し（ステップＳ１０３）、視線方向Ｖ１を含む角度範囲Ｒ２に通知情報が含まれるか否か判定する（ステップＳ１０４）。
【０１０６】
角度範囲Ｒ２に通知情報が含まれない場合（ステップＳ１０４；Ｎｏ）、処理を終了する。一方、角度範囲Ｒ２に通知情報が含まれる場合（ステップＳ１０４；Ｙｅｓ）、情報表示装置１０は、当該通知情報をユーザに表示する（ステップＳ１０５）。
【０１０７】
図１１に示す情報表示処理は、例えば一定期間ごとに情報表示装置１０が実行する。あるいは、ユーザが一定距離移動するごとに実行するようにしてもよい。
【０１０８】
または、例えばユーザが移動し、ユーザが位置する通知範囲Ｒ１が変更した場合であっても、通知情報を表示部２０に表示して所定期間経過するまではかかる通知情報を表示するようにしてもよい。同様に、ユーザの視線方向Ｖ１が変化し、角度範囲Ｒ２が変更した場合であっても、通知情報を表示部２０に表示して所定期間経過するまではかかる通知情報を表示するようにしてもよい。これにより、表示部２０に表示される通知情報が頻繁に切り替わらないようにすることができる。
【０１０９】
以上のように、本実施形態に係る情報表示装置１０は、通知範囲Ｒ１に位置するユーザに対して、かかる通知範囲Ｒ１に関連付けられた通知情報のうちユーザの視線方向Ｖ１に応じた通知情報をユーザに表示することで、ユーザに対して適切に通知情報を通知することができる。
【０１１０】
［４．変形例］
なお、上述した実施形態では「運転モード」と「観光モード」とをユーザの入力操作によって切り替える場合について説明したが、これに限られない。例えば、車両Ｃが所定速度で移動している場合は「運転モード」とし、例えば停止している場合など移動速度が所定速度以下である場合は「観光モード」とするなど、車両Ｃの速度に応じて動作モードを切り替えるようにしてもよい。
【０１１１】
あるいは、ユーザの視線方向Ｖ１に応じて「運転モード」および「観光モード」を切り替えるようにしてもよい。具体的には、ユーザの視線方向Ｖ１が進行方向、すなわち道路Ｗａを向いている場合は「運転モード」とし、ユーザの視線方向Ｖ１が横方向、すなわち道路Ｗａ沿いを向いている場合は「観光モード」とするようにしてもよい。また、情報表示装置１０が「運転モード」または「観光モード」のいずれか一方のみを実行するようにしてもよい。
【０１１２】
また、上述した実施形態では、通知情報を示す画像を表示部２０に表示する場合について説明したがこれに限られない。例えば画像を表示部２０に表示するとともに音声でも情報を通知するようにしてもよい。
【０１１３】
なお、表示部２０がヘッドアップディスプレイの場合、通知情報を音声で通知するとともに、ユーザの視線方向Ｖ１が表示部２０を向いているか否かを検出し、表示部２０を向いている場合に表示部２０に通知画像ＭＧを表示するようにしてもよい。あるいは、ユーザの視線方向Ｖ１が変化し、角度範囲Ｒ２が変更した場合であっても、通知情報を表示部２０に表示して所定期間経過するまではかかる通知情報を表示するようにしてもよい。
【０１１４】
ヘッドアップディスプレイに通知情報を表示する場合において、例えばユーザに交差点で左折する道路Ｗａ２の情報を通知する場合（図６参照）、ユーザの視線方向Ｖ１が道路Ｗａ２を向いていると、表示部２０であるヘッドアップディスプレイに表示された通知情報を確認できない可能性がある。
【０１１５】
そこで、ヘッドアップディスプレイに通知情報を表示する場合、上述したように、音声で通知情報を通知するとともに、ユーザの視線方向Ｖ１がヘッドアップディスプレイを向いてから通知情報を通知する、あるいはユーザの視線方向Ｖ１が変化しても所定期間は通知情報を表示するようにする。これにより、ユーザに対して通知情報を適切に通知することができる。
【０１１６】
また、上述した実施形態では、通知情報が文字情報である場合、日本語表記の文字列を表示部２０に表示するようにしているが、これに限らず、例えば英語や中国語など外国語表記の文字列を表示できるようにしてもよい。
【０１１７】
この場合、例えばユーザが文字列の表記を例えば一覧から選択するようにしてもよい。また、日本語以外の外国語で文字情報を表示する場合、例えば施設名称や地名等を外国語および日本語の両方の言語で表示するようにしてもよい。
【０１１８】
具体的には、例えば図７に示す詳細表示範囲Ｒ６１にユーザが位置する場合に、かかる詳細表示範囲Ｒ６１に含まれる施設Ｂの名称を外国語および日本語の両方の言語で表示するようにしてもよい。
【０１１９】
詳細表示範囲Ｒ６１にユーザが位置する、すなわちユーザが施設Ｂの近くに位置する場合、例えば看板等によってユーザが施設Ｂの名称を目にすることがある。このとき、例えば看板等に施設Ｂの日本語表記の名称のみが記載されていたとする。
【０１２０】
この場合、表示部２０に施設Ｂの名称を外国語で表示していると、ユーザが看板等に記載された名称と表示部２０に表示された名称とを対応づけられない可能性がある。そこで、表示部２０に外国語および日本語の施設Ｂの名称を表示することで、例えば看板に記載されている施設Ｂの名称を、ユーザが外国語の名称と対応づけて認識することができるようになる。
【０１２１】
このように、例えばユーザの近辺に位置する施設Ｂの情報を表示する場合に、係る情報を複数の言語で表示することで、ユーザが看板等の実際の表示と表示部２０に表示される外国語表記の情報とを対応付けることができ、ユーザに対して適切に情報を通知することができる。また、ユーザが外国語を選択した場合、道路標識を表す図形を、当該外国で使用されている標識に合わせて変更することもできる。このようにすれば、ユーザの母国で使用されている標識に合った図形（アイコン等）が表示されるため、ユーザにとってわかりやすい情報提供が可能となる。
【０１２２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２３】
１  情報表示システム
１０  情報表示装置
２０  表示部
３０  視線検出部
４０  ナビゲーション装置
４１  制御部
４２  地図情報データベース
５０  位置検出部
１１１  範囲判定部
１１２  通知決定部
１１３  切替部
１２０  画像表示部
１３０  記憶部
【図１】
0006549893.tif 000002
【図２】
0006549893.tif 000003
【図３】
0006549893.tif 000004
【図４】
0006549893.tif 000005
【図５】
0006549893.tif 000006
【図６】
0006549893.tif 000007
【図７】
0006549893.tif 000008
【図８】
0006549893.tif 000009
【図９】
0006549893.tif 000010
【図１０】
0006549893.tif 000011
【図１１】
0006549893.tif 000012